(57)【要約】      （修正有）【課題】複数のくくり罠を設置する際に１つのワイヤーストッパーを使い回すことができ、ワイヤーにしっかり固定されるワイヤーストッパーを提供する。【解決手段】支点３を中心に互いに回動可能な第１本体１と第２本体２とを互いに近接させる方向に締め付ける締め付け部５とを有し、第１本体の一部と第２本体の一部とが互いに近接し合う場所にワイヤー挟み部４が形成されており、締め付け部は、第１本体に固定または形成されたネジ通し部１０と、ネジ通し部に通され、一端が曲げられた曲げネジ１１と、曲げネジの、ネジ通し部を挟んだ他端に取り付けられたナット１２とを有し、曲げネジの曲げられた一端は第２本体に引っ掛けられており、ナットを一方向に回転させることで曲げネジの一端が第１本体に引き寄せられ、曲げネジの一端に引っ掛けられた第２本体も第１本体に引き寄せられる。【選択図】図１
0003233173.tif 000002
【実用新案登録請求の範囲】
【請求項１】
支点を中心に互いに回動可能な第１本体と第２本体と、
前記第１本体と前記第２本体とを互いに近接させる方向に締め付ける締め付け部とを有し、
前記第１本体と前記第２本体とが互いに回動することによって前記第１本体の一部と前記第２本体の一部とが互いに近接し合う場所にワイヤー挟み部が形成されており、
前記締め付け部は、
前記第１本体に固定または形成されたネジ通し部と、
前記ネジ通し部に通され、一端が曲げられた曲げネジと、
前記曲げネジの、前記ネジ通し部を挟んだ他端に取り付けられたナットとを有し、
前記曲げネジの曲げられた一端は前記第２本体に引っ掛けられており、前記ナットを一方向に回転させることで前記曲げネジの一端が前記第１本体に引き寄せられ、前記曲げネジの一端に引っ掛けられた前記第２本体も前記第１本体に引き寄せられる、ワイヤーストッパー。
【考案の詳細な説明】
【技術分野】
【０００１】  本考案はワイヤーストッパーに関する。
【背景技術】
【０００２】  くくり罠（以下単に「罠」と呼ぶ）とは、輪状にしたワイヤーで動物の足をくくることでその動物を捕獲するものであり、罠を作動させるためにバネが用いられることが多い。図２（ａ）、（ｂ）は罠の動作原理の一例を説明するための概念図であり、図２（ａ）は罠の作動前、図２（ｂ）は罠の作動後をそれぞれ表している。【０００３】  （罠の構造）
罠は、ワイヤー１０１と、ワイヤー１０１が通されて罠を作動させるバネ１０２と、収縮されたバネ１０２が収納されるパイプ１０３と、絞り部１０４と、パイプ１０３と絞り部１０４とを接続状態から非接続状態に切り換え可能なトリガー１０５とからなる。ワイヤー１０１の先端部１０６には、動物の足をくくるための可動輪１０７が形成されている。絞り部１０４は、バネ１０２によってパイプ１０３と離間されることで可動輪１０７を絞るように構成されている。可動輪１０７は、ワイヤー１０１の一端部に形成された固定輪１０８にそのワイヤー１０１自身を通すことによって形成される。ワイヤー１０１の他端部はパイプ１０３に固定されている。【０００４】  （罠の動作）
図２（ａ）の罠の作動前の状態では、収縮されたバネ１０２がパイプ１０３に収納されている。この状態ではトリガー１０５が作動していないので、パイプ１０３と絞り部１０４とは接続状態であり、バネ１０２の力によってパイプ１０３と絞り部１０４とが離間されない。動物（図示せず）による刺激を受けてトリガー１０５が作動する、つまり安全ピンであるトリガー１０５がパイプ１０３から抜けると、パイプ１０３と絞り部１０４が接続状態から非接続状態に切り換えられる。すると、パイプ１０３の中で圧縮されていたバネ１０２の力によってパイプ１０３と絞り部１０４が離間される。ワイヤー１０１の他端部はパイプ１０３に固定されているので、絞り部１０４がバネ１０２によってワイヤー１０１の一端部側に押し出されて固定輪１０８を押すことにより可動輪１０７が絞られる（図２（ｂ）の状態）。このようにして絞られた可動輪１０７によって動物（図示せず）の足がくくられることでその動物が捕獲される。【０００５】  ところで、このようにバネ１０２の力を利用した罠を設置する際に、誤ってトリガー１０５を作動させると、絞り部１０４が高速で動作するので危険である。このような危険を回避するために、図２（ａ）のワイヤーのＡ点に一時的にワイヤーストッパー（図示せず）を固定することが考えられる（例えば文献１参照）。このようにすることで、罠を設置する際に誤ってトリガー１０５を作動させた場合でもバネ１０２に押し出された絞り部１０４がＡ点に固定されたワイヤーストッパーで止まり、絞り部１０４の動きを最小限に抑えることができる。
【先行技術文献】
【０００６】
【特許文献１】特開２０１８−１９１５４９号  公報
【考案の概要】
【考案が解決しようとする課題】
【０００７】  上記のようなワイヤーストッパーは複数の罠を設置する際に使い回すことができれば便利である。しかし、文献１に記載されているような従来のワイヤーストッパーは罠から取り外せない構造であるため、複数の罠を設置する際に１つのワイヤーストッパーを使い回すことができない。また、一般に罠に用いられるバネは非常に強力なため、ワイヤーストッパーはワイヤーにしっかりと固定される必要がある。そこで本考案の目的は、複数の罠を設置する際に使い回すことができ、なおかつワイヤーにしっかりと固定されるワイヤーストッパーを提供することである。
【課題を解決するための手段】
【０００８】  本考案の課題解決手段は、ワイヤーストッパーであって、支点を中心に互いに回動可能な第１本体と第２本体と、第１本体と第２本体とを互いに近接させる方向に締め付ける締め付け部とを有し、第１本体と第２本体とが互いに回動することによって第１本体の一部と第２本体の一部とが互いに近接し合う場所にワイヤー挟み部が形成されており、締め付け部は、第１本体に固定または形成されたネジ通し部と、ネジ通し部に通され、一端が曲げられた曲げネジと、曲げネジの、ネジ通し部を挟んだ他端に取り付けられたナットとを有し、曲げネジの曲げられた一端は第２本体に引っ掛けられており、ナットを一方向に回転させることで曲げネジの一端が第１本体に引き寄せられ、曲げネジの一端に引っ掛けられた第２本体も第１本体に引き寄せられる、ワイヤーストッパーである。
【考案の効果】
【０００９】  本考案によれば、複数の罠を設置する際に使い回すことができ、なおかつワイヤーにしっかりと固定されるワイヤーストッパーを得ることができる。
【図面の簡単な説明】
【００１０】
【図１】ワイヤーストッパーの正面図、側面図、背面図
【図２】罠の動作原理の一例を説明するための概念図
【考案を実施するための形態】
【００１１】  以下、本願考案の実施形態について図面に基づいて説明する。図１（ａ）は本実施形態におけるワイヤーストッパーの正面図であり、図１（ｂ）は本実施形態におけるワイヤーストッパーの側面図であり、図１（ｃ）は本実施形態におけるワイヤーストッパーの背面図である。
【００１２】  本実施形態のワイヤーストッパーは第１本体１と第２本体２を有する。第１本体１と第２本体２とは支点３を中心に互いに回動可能である。第１本体１と第２本体２とが互いに回動することによって第１本体１の一部と第２本体２の一部とが互いに近接し合う場所にワイヤー挟み部４が形成されている。また、本実施形態のワイヤーストッパーは第１本体１と第２本体２とを互いに近接させる方向に締め付ける締め付け部５を有する。
【００１３】  締め付け部５は、第１本体１に固定されまたは形成されたネジ通し部１０と、ネジ通し部１０に通され、一端が曲げられた曲げネジ１１と、曲げネジ１１の、ネジ通し部１０を挟んだ他端に取り付けられたナット１２とを有する。ネジ通し部１０は、曲げネジ１１の外径よりも大きな開口を有する部材（例えばパイプ）を第１本体１に溶接で固定することによって構成されている。曲げネジ１１の曲げられた一端は第２本体２に引っ掛けられている。ナット１２を一方向に回転させることで曲げネジ１１の一端が第１本体１に引き寄せられ、曲げネジ１１の一端に引っ掛けられた第２本体２も第１本体１に引き寄せられる。このままナット１２を一方向に回転させることで、第１本体１と第２本体２とが互いに近接する方向に締め付けられる。曲げネジ１１の一端の曲げ角度は、曲げネジ１１の一端が第２本体２に引っ掛かる角度であればよく、例えば９０度以上としてもよい。ワイヤー挟み部４にワイヤー（例えば図１におけるＡ点）を挟んだ状態で、締め付け部５によって第１本体１と第２本体２とを互いに近接させる方向に締め付けることで、ワイヤーに対してワイヤーストッパーがしっかりと固定される。
【００１４】  第１本体１と第２本体２とは支点３においてボルト６とナット７で回動可能に固定されている。ボルト６とナット７の代わりにカシメによって回動可能に固定されていてもよい。第１本体１には段差部８が設けられており、図１における紙面奥行き方向においてワイヤー挟み部４の第１本体１と第２本体２の高さが一致するようにされている。このような段差部８は第２本体２部に設けられてもよく、第１本体１と第２本体２の両方に設けられてもよい。
【００１５】  第１本体１と第２本体２とがワイヤー挟み部４において当接した状態において、ワイヤー挟み部４以外の部分において第１本体１と第２本体２とが当接しないようにされている。これにより、ワイヤー挟み部４において、よりしっかりとワイヤーを挟むことができる。ワイヤー挟み部４には、第１本体１と第２本体２とがワイヤー挟み部４において当接した状態においてワイヤーを通す隙間９が形成されている。隙間９の面積はワイヤーの断面積よりも小さい。隙間９の形は任意の形状とすることができ、円形でもよく、方形やひし形でもよい。ワイヤーをこのような隙間９に通して挟むことで、ワイヤー挟み部４において、よりしっかりとワイヤーを挟むことができる。
【００１６】  ボルトやネジとナットの固定部には適宜ワッシャ（図示せず）が用いられてもよい。各部材は金属製としてもよいが、プラスチック等、他の材料を用いてもよい。締め付け部５のナット１２を回転させるためのレンチ（図示せず）が、ワイヤー等を介して第１本体１または第２本体２に接続されていてもよい。
【符号の説明】
【００１７】１  第１本体
２  第２本体
３  支点
４  ワイヤー挟み部
５  締め付け部
６  ボルト
７  ナット
８  段差部
９  隙間
１０  ネジ通し部
１１  曲げネジ
１２  ナット
１０１  ワイヤー
１０２  バネ
１０３  パイプ
１０４  絞り部
１０５  トリガー
１０６  ワイヤー先端部
１０７  可動輪
１０８  固定輪
【図１】
0003233173.tif 000003
【図２】
0003233173.tif 000004